(57)【要約】【課題】  箱型荷室の天井側から木製チップなどを投入することのできる天井開口部を備えるウイングを有し、その天井開口部を容易に開閉し得るウイング式の車両用箱型荷室を提供する。【解決手段】  梁材１４と、梁材１４に回動可能に取付けられるウイング２を有するウイング式の車両用箱型荷室１であって、ウイング２は、箱型荷室１の天井の少なくとも一部と、箱型荷室１の一側面の少なくとも一部とを一体に備えるウイング本体４と、ウイング本体４に形成された天井開口部４２と、天井開口部４２を開閉する開閉部材５０と、開閉部材５を回動させる駆動装置５５を有する。そして梁材１４にウイング本体４が回動可能に取付けられ、ウイング本体４に開閉部材５が回動可能に取付けられ、開閉部材５とウイング本体４との間に駆動装置５５が取付けられ、駆動装置５５によって開閉部材５を回動させて天井開口部４２を開閉させることができる構成になっている。【選択図】        図５
2006256435.tif 000002
【特許請求の範囲】
【請求項１】
箱型荷室の天井側に配設された梁材と、その梁材に回動可能に取付けられるウイングとを有するウイング式の車両用箱型荷室であって、
前記ウイングは、箱型荷室の天井の少なくとも一部と、箱型荷室の一側面の少なくとも一部とを一体に備えるウイング本体と、そのウイング本体に形成された天井開口部と、その天井開口部を開閉する開閉部材と、その開閉部材を回動させる駆動装置とを有し、
前記梁材に前記ウイング本体が回動可能に取付けられ、そのウイング本体に前記開閉部材が回動可能に取付けられ、前記開閉部材と前記ウイング本体との間に前記駆動装置が取付けられ、前記駆動装置によって前記開閉部材を回動させて前記天井開口部を開閉させることができる構成になっていることを特徴とするウイング式の車両用箱型荷室。
【請求項２】
箱型荷室の天井側に配設された梁材と、その梁材に回動可能に取付けられる左ウイングと右ウイングとを有するウイング式の車両用箱型荷室であって、
前記左ウイングは、箱型荷室の天井左側部の少なくとも一部と左面上側部の少なくとも一部を一体に備えるウイング本体を有し、
前記右ウイングは、箱型荷室の天井右側部の少なくとも一部と右面上側部の少なくとも一部を一体に備えるウイング本体を有し、
前記左ウイングと前記右ウイングは、それぞれ前記ウイング本体に形成された天井開口部と、前記天井開口部を開閉する開閉部材と、前記開閉部材を回動させる駆動装置とを有し、
前記梁材に前記ウイング本体が回動可能に取付けられ、そのウイング本体の回動支点側に前記開閉部材が回動可能に取付けられ、前記開閉部材と前記ウイング本体との間に前記駆動装置が取付けられ、前記駆動装置によって前記開閉部材を回動させて前記天井開口部を開閉させることができ、
前記左ウイング側と前記右ウイング側の回動天井部が、それぞれ枠体を有し、これら左右両枠体間に一枚状のシートが張架されて形成されていることを特徴とするウイング式の車両用箱型荷室。
【発明の詳細な説明】
【技術分野】
【０００１】
この発明は、トラックなどの車両に搭載、あるいは連結されるウイング式の車両用箱型荷室に関する。
【背景技術】
【０００２】
従来、様々な箱型荷室が知られている。
特許文献１には  箱型荷室の天井側に配設された梁材と、その梁材に回動可能に取付けられる左ウイングと右ウイングとを有するウイング式の車両用箱型荷室が開示されている。その箱型荷室は、梁材を車幅方向にスライド可能とするために前面の上端縁と後枠体の上端縁にレールを有していた。したがって梁材を車幅方向にスライドさせることで左ウイングと右ウイングを梁材とともに同時にスライドさせ、箱型荷室を大きく開口させることができる構成になっていた。
また従前、木製チップなどの積荷を上方から投入することができるウイング式の車両用箱型荷室も知られていた。その箱型荷室は、左ウイングと右ウイングを有し、左ウイングと右ウイングの天井部が骨材のみで構成されパネルを有さず、天井開口部を有する構成になっていた。そのため天井開口部を通して木製チップなどを上方から投入することができる構成になっていた。そして木製チップ以外のものを運搬する場合には、天井開口部をシートで覆い、その状態にて積荷を運搬していた。
【特許文献１】特開２００４−１６１１７７号公報
【発明の開示】
【発明が解決しようとする課題】
【０００３】
しかし箱型荷室は、非常に背が高く、３ｍ以上のものがほとんどである。そのため天井開口部を覆うために箱型荷室の上に登ることは、容易ではなく、箱型荷室から落下しないように注意する必要もあった。さらに作業者は、シートを複数箇所で掛け止める必要もあった。
そこで本発明は、箱型荷室の天井側から木製チップなどを投入することのできる天井開口部を備えるウイングを有し、その天井開口部を容易に開閉し得るウイング式の車両用箱型荷室を提供することを課題とする。
【課題を解決するための手段】
【０００４】
前記課題を解決するために本発明は、各請求項に記載の通りの構成を備えるウイング式の車両用箱型荷室であることを特徴とする。
すなわち請求項１に記載の発明によると、箱型荷室の天井側に配設された梁材と、その梁材に回動可能に取付けられるウイングとを有するウイング式の車両用箱型荷室であって、ウイングは、箱型荷室の天井の少なくとも一部と、箱型荷室の一側面の少なくとも一部とを一体に備えるウイング本体と、そのウイング本体に形成された天井開口部と、その天井開口部を開閉する開閉部材と、その開閉部材を回動させる駆動装置とを有している。そして梁材にウイング本体が回動可能に取付けられ、そのウイング本体に開閉部材が回動可能に取付けられ、開閉部材とウイング本体との間に駆動装置が取付けられ、駆動装置によって開閉部材を回動させて天井開口部を開閉させることができる構成になっている。
【０００５】
したがって箱型荷室は、駆動装置によって開閉部材を回動させることで天井開口部を開閉させることができる。そのため天井開口部を塞ぐために作業者がわざわざ箱型荷室の天井に登る必要がない。
また開閉部材は、スライドではなくウイング本体に対して回動する構成になっている。そのためスライド構造のレールに木製チップが詰まるなどの不具合が生じ難い構造になっている。
また開閉部材は、ウイング本体に対して回動可能に取付けられている。そのためウイング本体を梁材に対して回動させた際にウイング本体とともに開閉部材を回動させることができる。例えば開閉部材を閉じた状態のままウイング本体を回動させることでウイング全体を開閉させることができる。そのためウイングの使用勝手が良い。
また駆動装置は、開閉部材とウイング本体との間に設けられている。したがってウイング本体を回動させた際にこれらの位置関係が変わらない。そのため開閉部材をウイング本体に対して回動させるための複雑な構造を必要としない構成になっている。
【０００６】
請求項２に記載の発明によると、箱型荷室の天井側に配設された梁材と、その梁材に回動可能に取付けられる左ウイングと右ウイングとを有するウイング式の車両用箱型荷室であって、左ウイングは、箱型荷室の天井左側部の少なくとも一部と左面上側部の少なくとも一部を一体に備えるウイング本体を有し、右ウイングは、箱型荷室の天井右側部の少なくとも一部と右面上側部の少なくとも一部を一体に備えるウイング本体を有している。そして左ウイングと右ウイングは、それぞれウイング本体に形成された天井開口部と、天井開口部を開閉する開閉部材と、開閉部材を回動させる駆動装置とを有し、梁材にウイング本体が回動可能に取付けられ、そのウイング本体の回動支点側に開閉部材が回動可能に取付けられ、開閉部材とウイング本体との間に駆動装置が取付けられ、駆動装置によって開閉部材を回動させて天井開口部を開閉させることができる構成になっている。そして左ウイング側と右ウイング側の回動天井部が、それぞれ枠体を有し、これら左右両枠体間に一枚状のシートが張架されて形成されている。
【０００７】
したがって請求項２に記載の発明は、請求項１と同様の作用効果を奏する。
さらに本発明は、開閉部材がウイング本体の回動支点側に回動可能に取付けられている。そして左ウイング側の開閉部材と右ウイング側の開閉部材が、それぞれ枠体を有し、これら左右両枠体間に一枚状のシートが張架されている。
したがって左ウイング側の開閉部材と右ウイング側の開閉部材の間は、シートで覆われる。そのため開閉部材を回動させた際においても両開閉部材間に水が流れ込むことが抑制される。
【発明を実施するための最良の形態】
【０００８】
本発明の実施形態を図１〜６にしたがって説明する。
本実施形態に係る箱型荷室１は、図１に示すように車両２０（特にトラック）の後方に搭載、あるいは連結されるウイング式の車両用箱型荷室である。
箱型荷室１は、箱型であって、床面１０、前面１３、後枠体１１、一対の後扉１２、一対のあおり１５、梁材１４、左ウイング２および右ウイング３を有している。
【０００９】
前面１３は、図１に示すように床面１０の前端部に立設されている。
後枠体１１は、鳥居形状であって、床面１０の後端部に立設されている。
一対の後扉１２は、観音開き可能となるように後枠体１１の左右の柱部に回動可能に取付けられている。
一対のあおり１３は、床面１０の左端（進行方向左端）と右端のそれぞれに回動可能に取付けられており、上下に回動される。そして上位置で保持されることによって箱型荷室１の左面の下側部または右面の下側部を構成する。
梁材１４は、車両前後方向に延出し、前面１３の上端中央部と後枠体１１の上端中央部との間で架渡され、箱型荷室の天井側に配設される。そして梁材１４の左側に左ウイング２が回動可能に取付けられ、右側に右ウイング３が回動可能に取付けられている。
【００１０】
左ウイング２は、図３に示すようにウイング本体４と開閉部材５と駆動装置５５を有している。
ウイング本体４は、図３に示すように箱型荷室１の天井の骨格（天井の一部）を形成する天井骨格部４０と、箱型荷室の左面の上側部（一側面の一部）を形成する左面上側部４１とを一体に有し、断面略Ｌ字状に形成されている。
天井骨格部４０は、長手骨部４０ａ，４０ｂと短手骨部４０ｃ，４０ｄを矩形状に枠組みし、これらを複数の補強骨部４０ｅによって補強することで形成されている。そしてこれら骨部の間に天井開口部４２を有している。したがって天井開口部４２を利用することによって図５に示すように天井側から木製チップなどの積荷を箱型荷室１内に投入することができる。
【００１１】
左面上側部４１は、図３に示すように箱型荷室１の左面を構成する部材であって、箱型荷室１の左面の骨格を形成する骨格部４１ａと、骨格部４１ａに貼り付けられるパネル４１ｂを有している。
天井骨格部４０と梁材１４の間には、図４，６に示すようにウイング本体４を梁材１４に対して上下方向に回動可能に連結するヒンジ４４が設けられている。
天井骨格部４０と後枠体１１の間には、ウイング本体４を回動させる回動装置（例えば油圧シリンダ）４５が取付けられ、図２に示すように天井骨格部４０と前面１３との間にも回動装置が取付けられている。
【００１２】
開閉部材５は、図３に示すように枠体５０とシート５１とトリム５２を有している。
枠体５０は、長手部５０ａ，５０ｂと短手部５０ｃ，５０ｄを矩形状に枠組みし、これらを複数の補強部５０ｅによって補強することで形成されている。そして枠体５０は、ヒンジ５４を介して天井骨格部４０の回動支点側にて回動可能に取付けられている。
長手部５０ａには、駆動装置５５からトルクを受ける力受軸５３が固定されている。力受軸５３は、長手部５０ａの前後両端（図３において左右両端）から突出し、両端部が駆動装置５５からトルクを受ける構成になっている。
【００１３】
駆動装置５５は、ブラケット４３を介して天井骨格部４０の前端部と後端部のそれぞれに固定されている。駆動装置５５は、例えば電動のモータであって、ボタン操作により駆動する構成になっている。ボタンは、前面１３や後枠体１１など作業者が容易に操作できる位置に設けられている。
したがってボタン操作により一対の駆動装置５５を駆動させ、駆動装置５５により開閉部材５をウイング本体４に対して回動させることができる。そして開閉部材５を図４に示す閉じ位置と図５に示す開き位置とに回動させることができる。なお開き位置における開閉部材５は、高さ方向が３０ｃｍ以下であることが好ましく、ウイング本体４の回動角度幅が１５０°以上になっていることが好ましい。
【００１４】
シート５１は、図３に示すように枠体５０に張架され、枠体５０に形成された開口部を覆う。したがって開閉部材５は、図４に示す閉じ位置にてウイング本体４の天井開口部４２を覆い、箱型荷室１の天井面を構成する。
トリム５２は、アルミ製であって、車両前後方向に延出し、シート５１の端末を枠体５０の長手部５０ｂに保持する。またトリム５２は、図４に示すようにＬ字状であって、ウイング本体４の角部を上方から覆う。したがってトリム５２は、開閉部材５の装飾性を向上させると同時に、天井開口部４２から箱型荷室１内への水の流入を抑制し得る。
【００１５】
以上のようにして左ウイング２が構成されている。一方、右ウイング３は、図１などに示すように左ウイング２と左右対称に構成されている。
すなわち右ウイング３は、ウイング本体６と開閉部材７と駆動装置７５を有している。
ウイング本体６は、天井骨格部と右面上側部とを一体に有し、天井骨格部側に天井開口部を有している。そしてウイング本体６は、図６に示すようにヒンジ６４を介して梁材１４に回動可能に取付けられている。
ウイング本体６と後枠体１１の間には、回動装置（例えば油圧シリンダ）６５が取付けられており、ウイング本体６と前面１３の間にも回動装置６５が取付けられている。
【００１６】
開閉部材７は、図４に示すように枠体７０とシート５１とトリム７２を有している。
枠体７０は、ヒンジ７４を介してウイング本体６の回動支点側に回動可能に取付けられている。
シート５１は、一枚状であって、左ウイング２側の枠体５０と右ウイング３側の枠体７０の間に渡って張架されている。
そして開閉部材７とウイング本体６の間には、開閉部材７を回動させる一対の駆動装置７５が設けられている。
【００１７】
続いて、箱型荷室１の使用態様を図４〜６にしたがって説明する。
箱型荷室１は、図４に示す状態（全閉状態）と、図５に示す状態（天井開口部開放状態）と、図６に示す状態（開状態）とに可変である。
図４の状態から図５の状態にする際には、駆動装置５５を駆動させて開閉部材５を回動させ、天井開口部４２の上方を開放する。これにより上方から木製チップ等の積荷を天井開口部４２を通して箱型荷室１内に投入することができる。
積荷を搭載した後は、駆動装置５５を駆動させて開閉部材５を回動させ、天井開口部４２を閉じる。
なお天井部開口状態は、左ウイング２の開閉部材５に代えて、右ウイング３の開閉部材７を回動させてウイング本体６側の天井開口部を開放する態様であっても良い。
【００１８】
箱型荷室１を図４の状態から図６の状態にする際には、油圧シリンダ４５，６５を駆動させ、左ウイング２と右ウイング３を開き、箱型荷室１の左右両面と天井面とを開く。これにより箱型荷室１の左右両側から大きな積荷を箱型荷室１内へ搬入することができる。
なお開状態は、左ウイング２のみ、右ウイング３のみを開く態様であっても構わない。
【００１９】
以上のようにして本実施の形態が形成されている。
すなわち左ウイング２と右ウイング３は、図３，４に示すようにウイング本体４，６と天井開口部（４０）と開閉部材５，７と駆動装置５５，７５を有している。そして梁材１４にウイング本体４，６が回動可能に取付けられ、ウイング本体４，６に開閉部材５，７が回動可能に取付けられ、開閉部材５，７とウイング本体４，６の間に駆動装置５５，７５が取付けられ、駆動装置５５，７５によって開閉部材５，７を回動させることで天井開口部（４０）を開閉させることができる。
【００２０】
したがって箱型荷室１は、図４に示すように駆動装置５５，７５によって開閉部材５，７を回動させることで天井開口部（４０）を開閉させることができる。そのため天井開口部（４０）を塞ぐために作業者がわざわざ箱型荷室１の天井に登る必要がない。
また開閉部材５，７は、スライドではなくウイング本体４，６に対して回動する構成になっている。そのためスライド構造のレールに木製チップが詰まるなどの不具合が生じ難い構造になっている。
【００２１】
また開閉部材５，７は、ウイング本体４，６に対して回動可能に取付けられている。そのためウイング本体４，６を梁材１４に対して回動させた際にウイング本体４，６とともに開閉部材５，７を回動させることができる。例えば図６参照に示すように開閉部材５，７を閉じた状態のままウイング本体４，６を回動させることで左ウイング２全体または右ウイング３全体を開閉させることができる。そのためウイングの使用勝手が良い。
また駆動装置５５，７５は、開閉部材５，７とウイング本体４，６との間に設けられている。したがってウイング本体４，６を回動させた際にこれらの位置関係が変わらない。そのため開閉部材５，７をウイング本体４，６に対して回動させるための複雑な構造を必要としない構成になっている。
【００２２】
また開閉部材５，７は、図４に示すようにウイング本体４，６の回動支点側に回動可能に取付けられている。そして開閉部材５，７は、それぞれ枠体５０，７０を有し、これら左右両枠体５０，７０間に一枚状のシート５１が張架されている。
したがって開閉部材５と開閉部材７の間は、シート５１で覆われる。そのため開閉部材５，７を回動させた際においても両開閉部材５，７間に水が流れ込むことが抑制される。
【００２３】
（他の実施の形態）
本発明は、上記実施の形態に限定されず、例えば以下の形態であっても良い。
（１）すなわち上記実施の形態に係る箱型荷室は、左のウイングと右ウイングを有していた。しかし左ウイングと右ウイングのいずれか一つのみを有する箱型荷室であっても良い。
（２）また上記実施の形態に係るウイング本体は、天井骨格部を有し、天井骨格部を構成する骨部間に天井開口部を有していた。しかしウイング本体が天井骨格部と天井パネル部とを有し、天井パネル部の一部に開口部（穴部）を有する形態であっても良い。
（３）また上記実施の形態に係る開閉部材は、ウイング本体の回動支点側（梁材寄り）に回動可能に取付けられていた。しかし開閉部材がウイング本体の左右両端部に回動可能に取付けられる形態であっても良い。
（４）また上記実施の形態の開閉部材は、シートを有していた。しかし開閉部材がシートの代わりに板状のパネルを有する形態であっても良い。
【図面の簡単な説明】
【００２４】
【図１】箱型荷室および車両の後方斜視図である。
【図２】箱型荷室の後方斜視図である。
【図３】左ウイングの分解斜視図である。
【図４】図２のＡ−Ａ線断面矢視図である。
【図５】天井開口部開放状態における図２に相当する箱型荷室の断面図である。
【図６】開状態における図２に相当する箱型荷室の断面図である。
【符号の説明】
【００２５】
１…箱型荷室
２…左ウイング（ウイング）
３…右ウイング（ウイング）
４，６…ウイング本体
５，７…開閉部材
１０…床面
１１…後枠体
１２…後扉
１３…前面
１４…梁材
４０…天井骨格部
４１…左面上側部
４２…天井開口部
４３…ブラケット
４４，５４，６４，７４…ヒンジ
４５，６５…回動装置
５０，７０…枠体
５１…シート
５５，７５…駆動装置
【図１】
2006256435.tif 000003
【図２】
2006256435.tif 000004
【図３】
2006256435.tif 000005
【図４】
2006256435.tif 000006
【図５】
2006256435.tif 000007
【図６】
2006256435.tif 000008